(57)【要約】【解決手段】レジ清算システム１においては、従業員が操作することによって商品の値段を読み取る読取機６と、この読取機６によって計算された合計金額を客が入金する複数台の清算機７とを備えている。客が通る通路５を挟んだ両側にそれぞれ配設した清算機７は、読取機６に対し客の進行向きＸＦへ並ぶ表域ＳＦに配設した清算機７と、その表域ＳＦに対し通路５を挟んで対向する裏域ＳＲに配設した清算機７とを備えている。【効果】読取機６ごとに設置した清算機７のうち一方を使用中でも他方を使用することができるため、清算時の待ち時間を短縮することができ、客に対する清算処理を通路５に沿って円滑に行うことができる。しかも、清算機７を使用する客を通路５の幅方向Ｙの両側へ分散させて客の移動経路Ｍを分けることができ、通路５において清算機７を使用する客の流れを阻害するおそれは少なくなって円滑に清算を行うことができる。【選択図】図１
2014063298.tif 000002
【特許請求の範囲】
【請求項１】
従業員が操作することによって商品の値段を読み取る読取機と、この読取機によって計算された合計金額を客が入金する複数台の清算機とを備え、客が通る通路を挟んだ両側にそれぞれこの清算機を配設したことを特徴とするレジ清算システム。
【請求項２】
前記読取機によって計算された合計金額を客が入金する複数台の清算機は、客が通る通路を挟んだ両側のうち、読取機に対し客の進行向きへ並ぶ表域に配設した清算機と、その表域に対し通路を挟んで対向する裏域に配設した清算機とを備えていることを特徴とする請求項１に記載のレジ清算システム。
【請求項３】
前記表域の清算機は、読取機に対し客の進行向きで隣接して配設した１台の清算機を含むことを特徴とする請求項２に記載のレジ清算システム。
【請求項４】
前記裏域の清算機は、前記表域の清算機に対し客の進行向きへずれていることを特徴とする請求項３に記載のレジ清算システム。
【請求項５】
前記表域の清算機の台数と前記裏域の清算機の台数とを同じ台数に設定したことを特徴とする請求項２〜４のうちいずれか一つの請求項に記載のレジ清算システム。
【請求項６】
前記表域の清算機の台数より前記裏域の清算機の台数を多くしたことを特徴とする請求項２〜４のうちいずれか一つの請求項に記載のレジ清算システム。
【請求項７】
前記読取機と複数台の清算機とからなる清算ラインは、客が通る通路を介して複数列配設されていることを特徴とする請求項２〜６のうちいずれか一つの請求項に記載のレジ清算システム。
【請求項８】
前記複数列の清算ラインは、客が通る通路を挟んだ両側に配設した清算機の合計台数が互いに異なる清算ラインにより構成されていることを特徴とする請求項７に記載のレジ清算システム。
【請求項９】
前記複数列の清算ラインのうち互いに隣接する両清算ラインにおいて、清算機を読取機に対し客の進行向きへ複数台並設するとともに、一方の清算ラインで読取機に対し客の進行向きへ複数台並設した清算機は、他方の清算ラインにおける清算機を含むことを特徴とする請求項７または請求項８に記載のレジ清算システム。
【発明の詳細な説明】
【技術分野】
【０００１】
本発明は、スーパーマーケットなどにおいて、従業員の操作により商品の値段を読み取る読取機によって計算された合計金額を客が入金する清算機を備えたレジ清算システムに関するものである。
【背景技術】
【０００２】
従来、複数台のレジ清算装置を並設したレジ清算システムでは、レジ清算装置ごとに従業員が商品の値段を読み取らせるとともに合計金額を客との間で清算していたので、清算に時間を要していた。
【０００３】
清算時間を短縮するために、従業員が読取機により商品の値段の読取りのみを行って客が清算機に合計金額を入金するレジ清算システムの一例では、読取機から打ち出された清算シ−トを受け取った客が、読取機から離れた場所に設置された複数台の清算機のうち選択したいずれかにその清算シ−トを読み取らせて合計金額を表示させ、その合計金額を入金していた。しかし、客がその清算機まで移動しなければならないばかりでなく、読取機と清算機との間のスペースを悪用して未入金のまま清算機から離れる不正が行われるおそれさえあった。
【０００４】
また、例えば下記の特許文献１では、清算機が読取機の付近で並設されているため、従業員が清算機に対する入金の有無を監視することができ、そのような不正を防止することができる。
【先行技術文献】
【特許文献】
【０００５】
【特許文献１】特開平８−６３６７２号公報
【発明の概要】
【発明が解決しようとする課題】
【０００６】
しかし、上記の特許文献１では、一台の清算機のみが読取機の付近で並設されているだけであるため、一台の清算機で先行の客が清算を手間取っている場合には、清算シ−トを受け取った後行の客を待たせるおそれがあった。
【０００７】
この発明は、読取機によって計算された合計金額を客が入金するレジ清算システムにおいて、不正清算を防止するばかりでなく、清算時の待ち時間を短縮して円滑に清算を行うことを目的としている。
【課題を解決するための手段】
【０００８】
後記実施形態の図面（図１）の符号を援用して本発明を説明する。
請求項１の発明にかかるレジ清算システム（１）においては、従業員が操作することによって商品の値段を読み取る読取機（６）と、この読取機（６）によって計算された合計金額を客が入金する複数台の清算機（７）とを備え、客が通る通路（５）を挟んだ両側にそれぞれこの清算機（７）を配設している。
【０００９】
請求項１の発明では、読取機（６）ごとに設置した清算機（７）のうち一方を使用中でも他方を使用することができるため、清算時の待ち時間を短縮することができ、客に対する清算処理を通路（５）に沿って円滑に行うことができる。しかも、清算機（７）を使用する客を通路（５）の幅方向（Ｙ）の両側へ分散させて客の移動経路（Ｍ）を分けることができ、通路（５）において清算機（７）を使用する客の流れを阻害するおそれは少なくなって円滑に清算を行うことができる。
【００１０】
請求項１の発明を前提とする請求項２の発明において、前記読取機（６）によって計算された合計金額を客が入金する複数台の清算機（７）は、客が通る通路（５）を挟んだ両側のうち、読取機（６）に対し客の進行向き（ＸＦ）へ並ぶ表域（ＳＦ）に配設した清算機（７）と、その表域（ＳＦ）に対し通路（５）を挟んで対向する裏域（ＳＲ）に配設した清算機（７）とを備えている。請求項２の発明では、読取機（６）の幅方向（Ｙ）の領域は通路（５）として空いているので、清算機（７）を使用する客は通路（５）を通って読取機（６）まで円滑に移動して円滑に清算を行うことができる。
【００１１】
請求項２の発明を前提とする請求項３の発明において、前記表域（ＳＦ）の清算機（７）は、読取機（６）に対し客の進行向き（ＸＦ）で隣接して配設した一台の清算機（７）を含む。請求項３の発明では、読取機（６）に隣接する表域（ＳＦ）の清算機（７）が使用中であるか否かを容易に判別して円滑に清算を行うことができる。
【００１２】
請求項３の発明を前提とする請求項４の発明において、前記裏域（ＳＲ）の清算機（７）は、前記表域（ＳＦ）の清算機（７）に対し客の進行向き（ＸＦ）へずれている。請求項４の発明では、表域（ＳＦ）の清算機（７）を使用する客と裏域（ＳＲ）の清算機（７）を使用する客との間の流れを阻害するおそれがより一層少なくなって円滑に清算を行うことができる。
【００１３】
請求項２〜４のうちいずれか一つの請求項の発明を前提とする請求項５の発明においては、前記表域（ＳＦ）の清算機（７）の台数と前記裏域（ＳＲ）の清算機（７）の台数とを同じ台数に設定している。また、請求項２〜４のうちいずれか一つの請求項の発明を前提とする請求項６の発明においては、前記表域（ＳＦ）の清算機（７）の台数より前記裏域（ＳＲ）の清算機（７）の台数を多くしている。請求項５及び請求項６の発明では、表域（ＳＦ）の清算機（７）の台数と裏域（ＳＲ）の清算機（７）の台数とを変えることで、表域（ＳＦ）の清算機（７）を使用する客と裏域（ＳＲ）の清算機（７）を使用する客との間の流れを阻害するおそれがより一層少なくなって円滑に清算を行うことができる。
【００１４】
請求項２〜６のうちいずれか一つの請求項の発明を前提とする請求項７の発明においては、前記読取機（６）と複数台の清算機（７）とからなる清算ライン（Ｌ）は、客が通る通路（５）を介して複数列配設されている。請求項７の発明では、複数列の清算ライン（Ｌ）及び通路（５）の配設により多数の客に対する清算処理を円滑に行うことができる。
【００１５】
請求項７の発明を前提とする請求項８の発明において、前記複数列の清算ライン（Ｌ）は、客が通る通路（５）を挟んだ両側に配設した清算機（７）の合計台数が互いに異なる清算ライン（Ｌ）により構成されている。請求項８の発明では、清算機（７）の合計台数の多い清算ライン（Ｌ）には買い物点数が少ない客を主に誘導し、清算機（７）の合計台数の少ない清算ライン（Ｌ）には買い物点数が多い客を主に誘導することで、精算効率を上げてサッカー台（８）の混雑を防ぎ、円滑に清算を行うことができる。
【００１６】
請求項７または請求項８の発明を前提とする請求項９の発明において、前記複数列の清算ライン（Ｌ）のうち互いに隣接する両清算ライン（Ｌ）では、清算機（７）を読取機（６）に対し客の進行向き（ＸＦ）へ複数台並設するとともに、一方の清算ライン（Ｌ）で読取機（６）に対し客の進行向き（ＸＦ）へ複数台並設した清算機（７）が、他方の清算ライン（Ｌ）における清算機（７）を含む。請求項９の発明では、各清算ライン（Ｌ１，Ｌ２，Ｌ３１，Ｌ３２，Ｌ３３）の狭い通路（５）に清算機（７）をコンパクトに配設することができる。
【発明の効果】
【００１７】
本発明は、スーパーマーケットなどで読取機（６）によって計算された合計金額を客が入金するレジ清算システム（１）において、不正清算を防止するばかりでなく、清算時の待ち時間を短縮して円滑に清算を行うことができる。
【図面の簡単な説明】
【００１８】
【図１】複数のレジ清算装置を備えたレジ清算システムを概略的に示す平面図。
【発明を実施するための形態】
【００１９】
以下、本実施形態にかかるレジ清算システムについて図１を参照して説明する。
レジ清算システム１において、レジ清算装置２を備えた清算ラインＬは、両仕切り３，４間において、客が通る通路５の入口５ａ側と出口５ｂ側とを結ぶ通路方向Ｘに対し直交する幅方向Ｙでその通路５を介して複数列（５列）配設され、一方の仕切り３に隣接する清算ラインＬ１と、その清算ラインＬ１に隣接する清算ラインＬ２と、その清算ラインＬ２に隣接する複数列（２列）の清算ラインＬ３１，Ｌ３２と、それらの清算ラインＬ３１，Ｌ３２と他方の仕切り４との間で他方の仕切り４に隣接する清算ラインＬ３３とを備えている。それぞれのレジ清算装置２においては、通路５の入口５ａ側からの出口５ｂ側にわたり、従業員のみにより操作される１台の読取機６と、通常は客により操作される複数台（３台または２台）の清算機７とが、通路５の入口５ａ側と出口５ｂ側とを結ぶ通路方向Ｘに沿って配設されている。各清算ラインＬ１，Ｌ２，Ｌ３１，Ｌ３２，Ｌ３３のレジ清算装置２において、複数台の清算機７（３台または２台）は、通路５を挟んだ両側にそれぞれ配設され、読取機６に対し客の進行向きＸＦへ並ぶ表域ＳＦに配設された１台の清算機７と、その表域ＳＦに対し通路５を挟んで対向する裏域ＳＲに配設された２台または１台の清算機７とを備えている。
【００２０】
各清算ラインＬ１，Ｌ２，Ｌ３１，Ｌ３２，Ｌ３３のレジ清算装置２において、前記表域ＳＦには１台の清算機７（７ＳＦ）が読取機６に対し客の進行向きＸＦで隣接して配設されて幅方向Ｙで並設されている。
【００２１】
両清算ラインＬ１，Ｌ２において、前記裏域ＳＲには２台の清算機７が通路方向Ｘに沿って並設され、表域ＳＦの清算機７の台数より裏域ＳＲの清算機７の台数が１台分多くなっている。清算ラインＬ１において、裏域ＳＲの両清算機７は、通路方向Ｘに対し直交する幅方向Ｙで表域ＳＦの清算機７に対向する１台の清算機７（７ＳＲＲ）と、この清算機７（７ＳＲＲ）に対し間隔Ｇをあけて客の進行向きＸＦへ並ぶ１台の清算機７（７ＳＲＦ）とを備え、裏域ＳＲの清算機７（７ＳＲＦ）は表域ＳＦの清算機７に対し客の進行向きＸＦへずれている。清算ラインＬ２において、裏域ＳＲの両清算機７（７ＳＲＲ，７ＳＲＦ）は、清算ラインＬ１における表域ＳＦの清算機７に対し客の進行向きＸＦで隣接して、表域ＳＦの清算機７に対し客の進行向きＸＦへずれて配設されているため、清算ラインＬ１における読取機６に対し３台の清算機７（７ＳＦ，７ＳＲＲ，７ＳＲＦ）が客の進行向きＸＦへ並設されている。清算ラインＬ２において、裏域ＳＲの清算機７（７ＳＲＲ）は幅方向Ｙで清算ラインＬ１における裏域ＳＲの間隔Ｇに対向し、裏域ＳＲの清算機７（７ＳＲＦ）は幅方向Ｙで清算ラインＬ１における裏域ＳＲの清算機７（７ＳＲＦ）に対向している。
【００２２】
各清算ラインＬ３１，Ｌ３２，Ｌ３３において、前記裏域ＳＲには１台の清算機７（７ＳＲ）が通路方向Ｘに沿って配設され、裏域ＳＲの各清算機７は清算ラインＬ２における裏域ＳＲの清算機７とともに幅方向Ｙで互いに対向しているとともに、表域ＳＦの清算機７に対し客の進行向きＸＦへずれている。裏域ＳＲの清算機７は清算ラインＬ２またはＬ３１またはＬ３２における表域ＳＦの清算機７に対し客の進行向きＸＦで隣接して配設されているため、読取機６に対し２台の清算機７（７ＳＦ，７ＳＲ）が客の進行向きＸＦへ並設されている。
【００２３】
なお、各清算ラインＬ１，Ｌ２，Ｌ３１，Ｌ３２，Ｌ３３のレジ清算装置２においては、通路５の出口５ｂ側でサッカー台８が配設されている。
次に、レジ清算システム１の作用（客が購入した商品の清算について）を説明する。
【００２４】
客は購入した商品の清算をレジ清算システム１により次のようにして行う。
前記各清算ラインＬ１，Ｌ２，Ｌ３１，Ｌ３２，Ｌ３３の読取機６において、通路５を通る客により購入された商品のバーコードが従業員の操作により順次読み取られると、バーコードの読取りとともに順次表示された各商品を客が値段とともに確認することができる。読取機６より読み取られた商品の値段の合計金額は、清算シ−トとして読取機６から打ち出される。客はその清算シ−トを従業員から受け取る。その清算シ−トを打ち出した特定の読取機６ごとに配設された各清算機７のうち使用していないものに、その清算シ−トを受け取った客が各移動経路Ｍへ分散して移動し、その清算シ−トを読み取らせると、商品の値段の合計金額が表示される。客がその合計金額を入金すると、確認画面が表示され、おつりがある場合にはその金額も表示される。客がその確認画面にタッチすると、おつりが出て清算操作が終了する。その後、客は購入した商品をサッカー台８に運んで買い物袋などに収容する。
【００２５】
この実施形態は下記の効果を有する。
（１）  読取機６と２台または３台の清算機７とからなる各レジ清算装置２の清算ラインＬ１，Ｌ２，Ｌ３１，Ｌ３２，Ｌ３３を５列配設したレジ清算システム１において、読取機６ごとに設置した２台または３台の清算機７のうち一方を使用中でも他方を使用することができるため、清算時の待ち時間を短縮することができ、客に対する清算処理を通路５に沿って円滑に行うことができる。
【００２６】
（２）  清算機７が読取機６の付近で配設されているため、従業員が清算機７に対する入金の有無を監視することができ、不正清算を防止することができる。
（３）  読取機６から打ち出された清算シ−トを受け取った客が、その清算シ−トを打ち出した特定の読取機６ごとに設置した２台または３台の清算機７のうちいずれかにその清算シ−トを読み取らせて合計金額を表示させ、その合計金額を入金するので、読取機６と清算機７との間で客が介在する清算シ−トを採用して、レジ清算システム１のレジ清算装置２を簡単にすることができる。
【００２７】
（４）  特願２０１２−１３８７２５にかかるレジ清算システムにおいては、読取機に隣接して１台目の清算機を客の進行向きへ並設しているとともに、１台目の清算機に隣接して２台目の清算機を客の進行向きへ並設している。そのため、１台目の清算機が使用中である場合、通路において２台目の清算機を使用する客は、１台目の清算機を使用する客と接触しないように大きく迂回して２台目の清算機まで移動する必要があり、また、１台目の清算機を使用する客が邪魔になって２台目の清算機が使用中であるか否かが見えにくかった。また、通路において１台目の清算機の使用を終えた客は２台目の清算機を使用する客と接触しないように大きく迂回してサッカー台まで移動する必要があった。さらに、１台目の清算機または２台目の清算機で客がほぼ同時に清算を終えた場合、清算機とサッカー台との間で客が互いに接触しないように気を使いながら清算機からサッカー台に移動する必要があった。従って、通路において清算機を使用する客の流れを阻害するおそれがあった。
【００２８】
そこで、各レジ清算装置２の清算ラインＬ１，Ｌ２，Ｌ３１，Ｌ３２，Ｌ３３において、客が通る通路５を挟んだ両側にそれぞれ清算機７を配設したので、清算機７を使用する客を通路５の幅方向Ｙの両側へ分散させて客の移動経路Ｍを分けることができる。従って、通路５において清算機７を使用する客の流れを阻害するおそれは少なくなって円滑に清算を行うことができる。
【００２９】
（５）  各レジ清算装置２の清算ラインＬ１，Ｌ２，Ｌ３１，Ｌ３２，Ｌ３３において、各清算機７は、通路５を挟んだ幅方向Ｙの両側のうち、読取機６に対し客の進行向きＸＦへ並ぶ表域ＳＦに配設された清算機７（７ＳＦ）と、その表域ＳＦに対し通路５を挟んで対向する裏域ＳＲに配設された清算機７（７ＳＲ，７ＳＲＦ，７ＳＲＲ）とを備え、読取機６の幅方向Ｙの領域は通路５として空いているので、清算機７を使用する客は通路５を通って読取機６まで円滑に移動して円滑に清算を行うことができる。
【００３０】
（６）  各レジ清算装置２の清算ラインＬ１，Ｌ２，Ｌ３１，Ｌ３２，Ｌ３３において、表域ＳＦの清算機７（７ＳＦ）は読取機６に対し客の進行向きＸＦで隣接して配設した１台のみであって、表域ＳＦの清算機７（７ＳＦ）が使用中の場合には、裏域ＳＲで配設された１台または２台の清算機７（７ＳＲ，７ＳＲＦ，７ＳＲＲ）が読取機６から見易くなって、使用していない清算機７を容易に判別して円滑に清算を行うことができる。
【００３１】
（７）  各レジ清算装置２の清算ラインＬ１，Ｌ２，Ｌ３１，Ｌ３２，Ｌ３３において、裏域ＳＲの清算機７が表域ＳＦの清算機７に対し客の進行向きＸＦへずれているので、表域ＳＦの清算機７を使用する客と裏域ＳＲの清算機７を使用する客との間の流れを阻害するおそれがより一層少なくなって円滑に清算を行うことができる。
【００３２】
（８）  各レジ清算装置２の清算ラインＬ１，Ｌ２，Ｌ３１，Ｌ３２，Ｌ３３において、表域ＳＦの清算機７の台数と裏域ＳＲの清算機７の台数とを変えることで、表域ＳＦの清算機７を使用する客と裏域ＳＲの清算機７を使用する客との間の流れを阻害するおそれがより一層少なくなって円滑に清算を行うことができる。
【００３３】
（９）  各レジ清算装置２の清算ラインＬ１，Ｌ２において配設された清算機７の合計台数は３台であり、各レジ清算装置２の清算ラインＬ３１，Ｌ３２，Ｌ３３において配設された清算機７の合計台数は２台であって、清算機７の合計台数が互いに異なる。清算機７の合計台数の多い清算ラインＬ１，Ｌ２には買い物点数が例えば５点以下の客を主に誘導し、清算機７の合計台数の少ない清算ラインＬ３１，Ｌ３２，Ｌ３３には買い物点数が例えば６点以上の客を主に誘導する。従って、清算ラインＬ１，Ｌ２では清算機７の合計台数を多くすることで精算効率を上げてサッカー台８の混雑を防ぎ、円滑に清算を行うことができる。
【００３４】
（１０）  各レジ清算装置２の清算ラインＬ１，Ｌ２，Ｌ３１，Ｌ３２，Ｌ３３においては、清算機７を読取機６に対し客の進行向きＸＦへ２台または３台並設している。幅方向Ｙで互いに隣接する両清算ラインＬ１及びＬ２、Ｌ２及びＬ３１、Ｌ３１及びＬ３２、Ｌ３２及びＬ３３において、両清算ラインＬ１及びＬ２では、清算ラインＬ１で読取機６に対し客の進行向きＸＦへ並設した３台の清算機７（７ＳＦ，７ＳＲＲ，７ＳＲＦ）が、清算ラインＬ２における２台の清算機７（７ＳＲＲ，７ＳＲＦ）を含む。また、他の両清算ラインＬ２及びＬ３１、Ｌ３１及びＬ３２、Ｌ３２及びＬ３３では、各清算ラインＬ２，Ｌ３１，Ｌ３２における読取機６に対し客の進行向きＸＦへ並設した２台の清算機７（７ＳＦ，７ＳＲ）が、各清算ラインＬ３１，Ｌ３２，Ｌ３３における１台の清算機７（７ＳＲ）を含む。従って、各清算ラインＬ１，Ｌ２，Ｌ３１，Ｌ３２，Ｌ３３の狭い通路５に清算機７をコンパクトに配設することができる。
【００３５】
前記実施形態以外にも例えば下記のように構成してもよい。
・  各レジ清算装置２の清算ラインＬ１，Ｌ２，Ｌ３１，Ｌ３２，Ｌ３３において、清算機７の合計台数や、表域ＳＦの清算機７の台数や、裏域ＳＲの清算機７の台数を変えることができる。例えば、表域ＳＦの清算機７の台数を１台にした場合に裏域ＳＲの清算機７の台数を２台または３台にし、表域ＳＦの清算機７の台数を２台にした場合に裏域ＳＲの清算機７の台数を２台または３台にする。
【００３６】
・  図示しないが、各レジ清算装置２の清算ラインＬ１，Ｌ２，Ｌ３１，Ｌ３２，Ｌ３３において、商品の値段を読み取った読取機６からの信号に基づき、選択手段は、複数台の清算機７のうち、使用していない清算機７を判別し、すべての清算機７を使用している場合には使用を終えたものを判別し、すべての清算機７を使用していない場合には出口５ｂ側にある清算機７を判別して、その使用していない特定の清算機７に合計金額を表示させ、その特定の清算機７を客に認識させる手段として、例えば判別した清算機７における表示灯を点滅させる。客は点滅している清算機７に対し合計金額を入金する。従って、従業員が操作することによって商品の値段を読取機６により読み取った後は、合計金額を表示させた特定の清算機７に客がその合計金額を入金するだけでよい。
【符号の説明】
【００３７】
１…レジ清算システム、２…レジ清算装置、５…通路、６…読取機、７…清算機、Ｘ…通路方向、ＸＦ…客の進行向き、ＳＦ…表域、ＳＲ…裏域、Ｌ…清算ライン。
【図１】
2014063298.tif 000003